(57)【要約】【課題】個々のIMAネットワーク情報をユーザに提供すること。【解決手段】非同期転送モードネットワークのIMAリンクを自動的に識別し(10)、該識別された逆多重化リンクを監視するよう分散ネットワークアナライザ(60)を自動的に構成する(12)、方法及び装置。非同期転送モードネットワークにわたって交換されるセルデータストリームから情報が選択的に抽出されて、該非同期転送モードネットワークのIMAリンクが自動的に識別され(14)、該識別されたIMAリンクを監視するよう分散ネットワークアナライザ(60)が自動的に構成される(16)。識別された逆多重化リンクを監視するよう自動的に構成された分散ネットワークアナライザ(60)を使用して、識別された逆多重化リンクを監視することに基づいて非同期転送モードネットワークの自動的に識別された逆多重化リンクのステータス情報を表示するグラフィカルユーザインタフェイス(54)が提供される。【選択図】図１
2006246472.tif 000002
【特許請求の範囲】
【請求項１】
非同期転送モードネットワークの逆多重化リンクを自動的に識別し(10)、該識別された逆多重化リンクを監視するよう分散ネットワークアナライザ(60)を自動的に構成する(12)、という各ステップを含む方法。
【請求項２】
非同期転送モードネットワークにわたって交換されるセルデータストリームから情報を選択的に抽出して、該非同期転送モードネットワークの逆多重化リンクを自動的に識別し(14)、
該識別された逆多重化リンクを監視するよう分散ネットワークアナライザ(60)を自動的に構成する(16)、
という各ステップを含む方法。
【請求項３】
前記監視される逆多重化リンクのステータス情報を表示するステップを更に含む、請求項１又は請求項２に記載の方法。
【請求項４】
前記逆多重化リンクの前記自動化された識別が、エンドユーザによる単一のコマンドに応じて開始される、請求項１ないし請求項３の何れか一項に記載の方法。
【請求項５】
前記逆多重化リンクの前記自動化された識別が、前記逆多重化リンクの各々の対応する逆多重化グループを示すことを含む、請求項１ないし請求項４の何れか一項に記載の方法。
【請求項６】
前記ステータス情報が、前記逆多重化リンクの各々の信号の損失、フレームの損失、及びヘッダ制御エラーのうちの少なくとも１つを示すデータを含む、請求項３ないし請求項５の何れか一項に記載の方法。
【請求項７】
前記ステータス情報が、多数の前記識別された逆多重化リンクが所定の個数の逆多重化リンクと一致しないときを示す、請求項３ないし請求項５の何れか一項に記載の方法。
【請求項８】
非同期転送モードネットワークの自動的に識別された逆多重化リンクのステータス情報を表示するグラフィカルユーザインタフェイス(54)を備えた装置であって、該ステータス情報が、前記識別された逆多重化リンクを監視するよう自動的に構成された分散ネットワークアナライザ(60)を使用して、前記識別された逆多重化リンクを監視することに基づいて提供される、装置。
【請求項９】
前記グラフィカルユーザインタフェイス(54)が、示されたIMAグループのうちの１つのIMAグループの、前記グラフィカルユーザインタフェイス(54)のエンドユーザによる選択に従った、前記分散ネットワークアナライザ(60)の選択的な構成を可能にする、請求項８に記載の装置。
【請求項１０】
前記表示されたステータス情報が、前記IMAリンクの各々の対応するIMAグループを示す、請求項８又は請求項９に記載の装置。
【発明の詳細な説明】
【技術分野】
【０００１】
本発明は、IMAネットワーク情報を提供するための方法及び装置に関する。
【背景技術】
【０００２】
非同期転送モード（ATM）は、固定サイズのATMセル又はパケットでデータを転送することに基づく高速ネットワーク技術である。ATMに基づくネットワーク内でのATMセルの送信は、DS1,DS3,OC-3等の専用リンクを使用する。ユーザは、この専用リンクを賃借し又は該専用リンクへのアクセスを取得する必要がある。しかし、１つの専用リンクを賃借することは、特定の要件を有する一部のユーザにとっては現実的なソリューションではない。例えば、ユーザは、２つ以上の専用リンクにアクセスすることが必要な場合があるが、高速の専用リンクへのアクセスを正当化するほど十分な必要性がない場合があり、別の専用リンクを単純に追加すると、ATMセルの重要な時間順序が保存されないことになる。
【０００３】
IMA（Inverse Multiplexing over Asynchronous transfer mode:非同期転送モード上の逆多重化）は、ATMセルから成る高速チャネルを複数の低速チャネルとして転送し、該ATMセルを元の高速チャネルとして再組み立てて、ユーザが該ユーザの必要性に応じてそれら低速チャネルへのアクセスを得ることを可能にすることにより、上記問題に対するソリューションを提供する。一般的なIMAネットワークは、共にIMAグループへとグループ化されている多数のリンクに逆多重化された幾つかのATMネットワーク接続（論理接続）を含む（この場合、各IMAグループは論理接続に１つずつ対応する）。IMAネットワークは周知のものである。
【発明の開示】
【発明が解決しようとする課題】
【０００４】
したがって、個々のIMAネットワーク情報をユーザに提供することが重要である。これは、IMAネットワークの様々なリンクにわたって送信されるデータを有するユーザにIMAネットワーク情報を提供する必要がある場合に特に重要となる。更に、IMAネットワークの様々なリンクにわたって送信されるユーザのデータに関して起こり得るあらゆる問題についての情報をユーザに提供することも重要である。残念ながら、一般的なソリューションの場合、監視対象となるIMAネットワークのIMAリンク及びIMAグループをユーザが手動でセットアップしなければならない。
【発明を実施するための最良の形態】
【０００５】
本発明の態様及び利点は、添付図面と共に取り入れられた、実施の形態の以下の説明から明らかになり、より容易に理解されよう。
【０００６】
ここで、本発明の一実施形態を詳細に参照する。該実施形態の例が図示されている。同図において、同様の符号は全体を通して同様の要素を指している。以下に実施形態を記載し、図面を参照することにより本発明を説明する。
【０００７】
図１は、本発明の一実施形態による、非同期転送モードネットワークのIMAリンクを自動的に識別し、該識別されたIMAリンクを監視するよう分散ネットワークアナライザ（DNA（distributed network analyzer））を自動的に構成するためのプロセス100を示す図である。用語「自動的に」は、識別プロセス及び構成プロセスが、人間によって実行されるのではなく、自動化された態様でマシンにより実行されることを示している。このマシンには、例えば、コンピュータプロセッサが含まれ得る。同様に、用語「自動化された」は、操作が、人間によって実行されるのではなく、自動化された態様でマシンにより実行されることを示している。
【０００８】
図１を参照すると、操作10において、IMAネットワークのIMAリンクが自動的に識別される。本発明の一態様によれば、IAMネットワークのIMAリンクは、例えば、IMAネットワークにわたって送信されたデータの評価に基づいて、自動的に識別される。例えば、IMAデータは、該ネットワークにわたって送信された他のATMデータと区別され、これによりネットワークの全てのIMAリンクが識別される。ATMデータとIMAデータとの区別を用いてIMAリンクの識別を説明するが、本発明は、如何なる特定のIMAデータの識別方法にも限定されるものではない。
【０００９】
操作10から、プロセス100は操作12に移動する。操作12において、分散ネットワークアナライザは、識別されたIMAリンクを監視するよう自動的に構成される。ここで、該識別されたIMAリンクを監視するよう分散ネットワークアナライザを構成するために、該識別されたIMAリンクの情報が例えば分散ネットワークアナライザに送信される。これにより、IMAネットワークのIMAリンクを、分散ネットワークアナライザによって監視されるよう手動で構成する必要がなくなる。本発明は、識別されたIMAリンクを監視するための如何なる特定のタイプのネットワークアナライザにも限定されるものではない。
【００１０】
図２は、本発明の一実施形態による、セルデータストリームから情報を選択的に抽出して、非同期転送モードネットワークのIMAリンクを自動的に識別し、該識別されたIMAリンクを監視するよう分散ネットワークアナライザを構成するためのプロセス200を示す図である。図２を参照すると、操作14において、IMAネットワークにわたって交換されるセルデータストリームから情報が選択的に抽出される。本発明の一態様によれば、IMAネットワークの各IMAリンクを自動的に識別するためにIMAネットワークの情報が抽出される。例えば、IMAリンクは、ICP（IMA Control Protocol）間隔（spacing）を用いて識別され、この場合、ICPセルが所定の間隔で到着したか否かが判定される。ICP間隔を用いてIMAリンクの識別について説明するが、本発明は、IMAリンクの如何なる特定の識別方法にも限定されるものではない。
【００１１】
操作14から、プロセス200は操作16に移動する。操作16において、識別されたIMAリンクを監視するよう分散ネットワークアナライザが自動的に構成される。ここで、例えば、識別されたIMAリンクが分散ネットワークアナライザに送信され、該分散ネットワークアナライザが、前記識別されたIMAリンクを監視するよう構成される。例えば、識別されたIMAリンクが分散ネットワークアナライザに送信されて、該分散ネットワークアナライザが、IMAリンクの各々の信号損失、フレーム損失、及びヘッダエラー制御のうちの少なくとも１つを示すデータを含むIMAリンクのステータス情報を判定するよう構成される。しかし、本発明は、IMAリンクの如何なる特定のステータス情報の判定にも限定されるものではない。
【００１２】
図３は、本発明の一実施形態による、非同期転送モードネットワークのIMAリンクを自動的に識別し、及び該識別されたIMAリンクを監視するよう分散ネットワークアナライザを自動的に構成する装置50の構成を示す図である。図３に示すように、ラインインタフェイス70a,70b,70c,70dはコラプサ（collapser）90に接続されている。該コラプサ90は、各IMAリンクにIMAリンク識別子を加えてダウンストリームブロックの１つのインスタンスのみが処理されることを可能にすることにより、検出された全てのIMAリンクを結合させて１つのストリームにするものである。例えば、ラインインタフェイス70a,70b,70c,70dは、複数のT1/E1ポートとすることが可能であり、又はT1/E1へと分離（demultiplex）させることができる複数の高速ポートとすることが可能である。T1ポート又はE1ポートに関してラインインタフェイス70a,70b,70c,70dを説明するが、本発明は、T1ポートにもE1ポートにも限定されるものではない。例えば、ATMデータは、OC-3やDS3/E3等の高速接続を介して送信することが可能である。
【００１３】
図３を参照すると、ラインインタフェイス70a,70b,70c,70dは、自動構成手段（autoconfigurer）52と、グラフィカルユーザインタフェイス（GUI）54と、自動構成ボタン56とを有する装置50にも接続されている。例えば、ラインインタフェイス70a,70b,70c,70dは、検出されたIMAリンクに従って、信号の損失及びフレームの損失に関係したATMデータ等を提供する。信号の損失情報及びフレームの損失情報を提供することに関してラインインタフェイス70a,70b,70c,70dを説明するが、ラインインタフェイス70a,70b,70c,70dは、如何なる特定の機能にも限定されるものではない。
【００１４】
コラプサ90は、ヘッダエラー制御（HEC（header error control））デリニエータ（delineator）92に接続され、例えばヘッダエラー制御バイト及びその他のヘッダバイトの値をチェックすることにより、ATMセルの検出を可能にする。HECデリニエータ92は、本発明の一態様によれば、ATMセルの検出に従って、単一又は複数のHECエラーが発生したか否かを検出する。更に、図３に示すように、HECデリニエータ92は、装置50に接続されて、IMAデータを交換する。例えば、HECデリニエータ92は、デリニエーションエラー秒数（delineation errored seconds）の損失、シングルビット及びマルチビットのエラー秒数の損失等のIMAデータを装置50に送信する。しかし、HECデリニエータ92は、如何なる特定のIMAデータを提供することにも限定されるものではない。
【００１５】
図３に示すように、HECデリニエータ92はIMAエンジン94に接続される。IMAエンジン94は様々な機能を実行する。例えば、IMAエンジン94が実行するIMA機能は、複数のATMセルストリームをインターリーブさせて高速セルストリームを形成し、IMA制御プロトコル（ICP）セルを検出し、ICPセル間隔（M値）を抽出し、該M値に基づいてセルの間隔をチェックし、及び巡回冗長検査（CRC）値等をチェックする。IMAエンジン94は、装置50に接続されて、各IMAリンクの情報を送信する。該情報は、IMAグループ番号、M値、リンク番号、ICPセルの存在の指示、ICPセルCRCエラー秒数、ICPセル間隔エラー秒数等を含む。IMAリンクの特定の情報に関してIMAエンジン94を説明するが、IMAエンジン94は、如何なる特定のIMA機能にも限定されるものではない。
【００１６】
図３を参照すると、IMAエンジン94は、リアセンブラ（reassembler）96にも接続されている。該リアセンブラ96は、例えば、ATMアダプテーションレイヤ（AAL）5及びAAL2の再組み立ての実行や、AAL5ストリームのCRC-32エラー及びAAL2ストリーム上のミニセルHECエラーのチェック等を行う。リアセンブラ96は、装置50にも接続されて、AAL5  CRC-32エラー秒数、AAL2ミニセルHECエラー秒数等の情報を提供する。特定の機能を実行することに関してリアセンブラ96を説明するが、リアセンブラ96は、如何なる特定の機能にも限定されるものではない。ラインインタフェイス70a,70b,70c,70d、コラプサ90、HECデリニエータ92、IMAエンジン94、及びリアセンブラ96は、既知のデバイスである。
【００１７】
図３の装置50は、ラインインタフェイス70a,70b,70c,70d、HECデリニエータ92、IMAエンジン94、及びリアセンブラ96から受信した情報に基づいて、非同期転送モードネットワークのIMAリンクを自動的に識別する。更に、装置50のGUI54は、例えばエンドユーザからの単一のコマンドに基づいて、例えば、IMAグループ、IMAリンク、IMAグループ及びIMAリンクのステータス情報、リンクソース識別子、ポート番号及び従属番号（tributary number）等のリストを表示する。
【００１８】
図３にも示すように、分散ネットワークアナライザ60が装置50に接続されて、識別されたIMAリンクを監視するよう該分散ネットワークアナライザ60を自動的に構成することが可能となる。装置50は、IMAリンクの自動化された識別を実行して、識別されたIMAリンクを監視するよう分散ネットワークアナライザ60を自動的に構成する。例えば、装置50のIMA自動構成手段52は、ソフトウェアとすることが可能なものであり、該ソフトウェアは、検出された個数のIMAリンクが所定の個数のIMAリンクと一致するか否かの判定に基づいて全てのIMAリンクの識別を実行し、該識別されたIMAリンクを監視するよう分散ネットワークアナライザ60を自動的に構成するものとなる。
【００１９】
図３を参照すると、装置50の自動構成ボタン56は、非同期転送モードネットワークのIMAリンクの自動化された識別、及び該識別されたIMAリンクを監視するよう分散ネットワークアナライザ60の自動化された構成を行うことをトリガする。しかし、装置50は、如何なる特定の構成にも限定されるものではなく、すなわち自動構成ボタン56を含むものに限定されるものではない。例えば、自動構成ボタン56の操作は、IMAリンクの自動化された識別及び分散ネットワークアナライザ60の自動化された構成を実行するよう装置50に指示するあらゆる命令（GUI54の図形オブジェクト、関数キー、メニューの選択肢等）を使用して実施することが可能である。
【００２０】
図４は、本発明の一実施形態による、非同期転送モードネットワークのIMAリンクを自動的に識別し、及び該識別されたIMAリンクを監視するよう分散ネットワークアナライザを自動的に構成する方法300を示す図である。図４に示すように、操作80において、図３のIMAエンジン94は、全てのリンクのステータスを得るための問い合わせを受ける。全てのリンクのステータスには、例えば、信号の損失、フレームの損失、HECエラー、HECデリニエーションステータス、ICP間隔（M値）、ICPセルのCRC、リンク番号又はリンクID、及びグループ番号等のデータが含まれる。しかし、全てのリンクのステータスは、IMAネットワークのリンクの如何なる特定の情報にも限定されるものではない。
【００２１】
操作80から、プロセス300は操作82に移動する。操作82において、本発明は、IMAネットワークの全てのグループ及びポートについてループ機能を実行する。例えば、ループ機能は、例えば0から255までの各グループ番号について実行される。グループ番号0〜255を使用してループ機能を説明するが、本発明は、IMAネットワークにおける如何なる特定のグループ数のループの実行にも限定されるものではない。
【００２２】
操作82から、プロセス300は操作84に移動する。操作84において、本発明は、IMAネットワーク内の各グループのグループステータスを判定する。例えば、グループステータスは、グループがエラーなしで全て揃った（すなわち完成した）こと、グループがエラーを伴って完成したこと、又は、グループが完成していないことを示す。しかし、本発明は、IMAネットワーク内のグループのステータスを示す如何なる特定の情報にも限定されるものではない。
【００２３】
操作84から、プロセス300は操作86に移動する。操作86において、本発明は、操作84で実行された判定に従って、図３に示す装置50に完成したグループのグループステータスを送信する。例えば、グループステータスにはIMAリンク及びポート番号等が含まれ得る。しかし、操作86は、如何なる特定のタイプのグループステータス情報の送信にも限定されるものではない。
【００２４】
操作86から、プロセス300は操作88に移動する。操作88において、本発明は、図３に示すGUI54を使用して各IMAリンク及び各IMAグループのステータス情報を表示する。例えば、各IMAグループ毎に、再組み立てされたあらゆるAAL-5データのCRC-32エラーレート及びあらゆるAAL2ミニセルHECエラーレートが表示される。IMAリンクの特定のステータス情報について解説するが、本発明は、IMAリンクの如何なる特定のステータス情報にも限定されるものではない。
【００２５】
図５は、本発明の一実施形態による、非同期転送モードネットワークのIMAリンクを自動的に識別し、及び該識別されたIMAリンクを監視するよう分散ネットワークアナライザを自動的に構成する、一層詳細な方法400を示す図である。図５に示すように、操作30において、IMAエンジンが、問い合わせを行って、IMAネットワーク内の全てのIMAリンクのステータスを取得する。例えば、IMAリンクのステータス情報には、例えば、信号の損失、フレームの損失、HECエラー、HECデリニエーションステータス、ICP間隔（M値）、ICPセルのCRC、リンク番号又はリンクID、及びグループ番号等に関するデータが含まれる。しかし、ステータス情報は、IMAネットワークのIMAリンクの如何なる特定のステータス情報にも限定されるものではない。
【００２６】
操作30から、プロセス400は操作32に移動する。操作32において、本発明は、操作30でIMAエンジンによって問い合わせを受けたIMAリンクが完成したリストであるか否かを判定する。例えば、図５に示すように、本発明は、IMAグループ番号0〜255を通るループを実行し、IMAネットワークの各ポートを通ってループして、該グループ番号についてリンク識別子（又はリンクID）の最大値を見つける。次いで、該グループのリンクの個数が最大リンクID値に等しく、且つ、どの２つのリンクIDも同じでない場合に、操作32は、それがIMAリンクが完成していることを示していると判定する。
【００２７】
操作32から、プロセス400は操作34に移動する。操作34において、本発明は、IMAリンクのグループステータスを判定する。例えば、操作34において、本発明は、グループリストが、例えばCRCエラー、HECエラー、セルデリニエーションの損失（LOCD（loss of cell delineation））、信号の損失、及びフレームの損失がない状態で完成したか否か、グループリストは完成したがCRCエラー、HECエラー、セルデリニエーションの損失（LOCD）、信号の損失、フレームの損失が存在するか否か、及びグループリストが未完成であるか否かを示す。グループリストは完成したがエラーを含むか否か、エラーなしで完成したか否か、及び未完成であるか否かを示す情報は、図３に示すGUI54を使用して表示される。本発明の一態様によれば、グループステータスは、色分けされたGUIを使用して提供される。例えば、緑色は、グループステータスが完成しており且つエラーがないことを示すのに使用することが可能である。黄色は、グループステータスが完成したがエラーを有していることを示すのに使用することが可能である。赤色は、グループステータスが未完成であることを示すのに使用することが可能である。しかし、本発明は、IMAリンクのステータス情報を表示する如何なる特定のGUIにも限定されるものではない。
【００２８】
操作34から、プロセス400は操作36に移動する。操作36において、本発明は、図３に示す自動構成ボタン56がユーザによって押下されるのを待機する。本発明は、IMAネットワークに関する情報を保持し、判定された情報を、ユーザからの自動構成コマンドに応じて提供する。
【００２９】
操作36から、プロセス400は操作38に移動する。操作38において、ポートマッピングへのリンク番号、M値を含む、緑色の全てのステータスグループの情報が送信され、IMAプロセスがグループについて開始される。操作36,38は、完成したグループステータスを指す緑色を使用して説明されるが、本発明は、グループステータスを示す如何なる特定の態様にも限定されるものではない。
【００３０】
操作38から、プロセス400は操作40に移動する。操作40において、操作38の結果が、図３に示すGUI54に報告される。例えば、操作38の結果は、各グループについての再組み立てされたあらゆるAAL-5データのCRC-32エラーレート及びあらゆるAAL2ミニセルHECエラーレート等を示すデータを含む。IMAリンクの特定のステータス情報について解説するが、本発明は、IMAリンクの如何なる特定のステータス情報にも限定されるものではない。
【００３１】
本発明の一態様によれば、図４に示すプロセス300及び図５に示すプロセス400は、それぞれ、図３に示す装置50を使用して実行される。しかし、本発明は、図３に示す装置50の如何なる特定の構成にも限定されるものではない。
【００３２】
したがって、非同期転送モードネットワークのIMAリンクを自動的に識別し、及び該識別されたIMAリンクを監視するよう分散ネットワークアナライザを自動的に構成するための、自動化された操作が提供される。これにより、IMAユーザは、個々のIMA情報を便利に且つ容易に判定することが可能になる。更に、IMAリンクの自動化された識別は、IMAリンクの各々の対応するIMAグループを示すことを含む。
【００３３】
また、本発明は、非同期転送モードネットワークの自動的に識別されたIMAリンクのステータス情報を表示するグラフィカルユーザインタフェイスをIMAユーザに提供する。ここで、該ステータス情報は、識別されたIMAリンクを監視するよう自動的に構成された分散ネットワークアナライザを使用して、識別されたIMAリンクを監視することに基づいて提供される。例えば、IMAネットワークのIMAリンクは、IMAリンクに関して得られたIMA制御プロトコルセル（ICP）間隔等のデータの問い合わせに基づいて自動的に識別される。これにより、IMAユーザがIMAリンクの監視を手動でセットアップし又は構成する必要がなくなる。IMAリンクの識別は、ICP間隔情報を取得する問い合わせを実施することによって説明されるが、本発明は、如何なる特定の個数の問い合わせにも限定されるものではない。例えば、本情報は、多数の識別されたIMAリンクが所定の個数のIMAリンクと一致しない場合を示すステータス情報を表示する。
【００３４】
また、本発明は、非同期転送モードネットワークにわたって交換されるセルデータストリームから情報を選択的に抽出して、非同期転送モードネットワークのIMAリンクを自動的に識別し、該識別されたIMAリンクを監視するよう分散ネットワークアナライザを自動的に構成するための方法も提供する。更に、IMAリンクの自動化された識別は、識別されたIMAリンクの各々の対応するIMAグループを示すことを含み、及び分散ネットワークアナライザを選択的に構成することによる、指示されたIMAグループの選択された部分の監視を可能にする。
【００３５】
本発明の複数の実施形態を図示し説明したが、本発明の原理及び思想から逸脱することなく、これら実施形態に変更を加えることが可能であることが当業者には理解されよう。本発明の範囲は、特許請求の範囲及びその均等物により画定されるものである。
【図面の簡単な説明】
【００３６】
【図１】本発明の一実施形態による、非同期転送モードネットワークのIMAリンクを自動的に識別し、該識別されたIMAリンクを監視するよう分散ネットワークアナライザを自動的に構成する方法を示す図である。
【図２】本発明の一実施形態による、セルデータストリームから情報を選択的に抽出して非同期転送モードネットワークのIMAリンクを自動的に識別し、該識別されたIMAリンクを監視するよう分散ネットワークアナライザを構成する方法を示す図である。
【図３】本発明の一実施形態による、非同期転送モードネットワークのIMAリンクを自動的に識別し、該識別されたIMAリンクを監視するよう分散ネットワークアナライザを自動的に構成する装置の構成を示す図である。
【図４】本発明の一実施形態による、非同期転送モードネットワークのIMAリンクを自動的に識別し、該識別されたIMAリンクを監視するよう分散ネットワークアナライザを自動的に構成する方法を示す図である。
【図５】本発明の一実施形態による、非同期転送モードネットワークのIMAリンクを自動的に識別し、該識別されたIMAリンクを監視するよう分散ネットワークアナライザを自動的に構成する一層詳細な方法を示す図である。
【符号の説明】
【００３７】
50    装置
52    自動構成手段
54    グラフィカルユーザインタフェイス
56    自動構成ボタン
60    分散ネットワークアナライザ
70a,70b,70c,70d    ラインインタフェイス
90    コラプサ
92    HECデリニエータ
94    IMAエンジン
96    リアセンブラ
【図１】
2006246472.tif 000003
【図２】
2006246472.tif 000004
【図３】
2006246472.tif 000005
【図４】
2006246472.tif 000006
【図５】
2006246472.tif 000007